(57)【要約】【課題】商品の出荷および移動は、出荷指示伝票などの指示により行われているが、実働はすべて商品物流作業者の注意力に頼って行われている。このため、出荷数や商品の取り違えによる誤出荷が頻繁に発生している。【解決手段】携帯端末と光学的コード読み込み機能を備えた携帯型スキャナを連携動作させ、出荷および移動させる商品に記載のＪＡＮ等の各種光学コードを概携帯端末に読み込ませる。概携帯端末には、通信によりサーバから取得した商品情報が記録でき、さらに読み込んだコード番号などから商品が特定できるプログラムを用意しておく。特定された商品に対して、携帯端末で出荷日時などの情報を追記し、出荷情報などのデータを記録できるサーバに送信する。蓄積されたサーバの記録を第三者が確認し、誤出荷を防止するシステムを構築する。【選択図】図７
2014172756.tif 000002
【特許請求の範囲】
【請求項１】
携帯端末に、携帯端末の通信機能を使って、商品サーバから商品の名称、または商品の識別番号、もしくはその両方の商品情報を一時に読み込ませる。概携帯端末と携帯型スキャナとをケーブル通信または無線通信で連係動作させる。物流拠点などにある商品に印刷または貼付されている、光学的に読み込めるようＪＡＮ、ＣＯＤＥ、ＱＲなどにコード化された商品の名称、または商品の識別番号、もしくはその両方の商品情報を概携帯端末に概スキャナで読み込ませる。概携帯端末に、概携帯端末に読み込ませた概商品サーバの情報と概スキャナで読み込んだコードの情報とで概商品の商品情報が特定できるとともに、概商品情報に情報を追加または変更でき、さらに概携帯端末で追加または変更した情報のみを物流サーバへ返信、記録させることができるプログラムを用意することによって、物流作業者以外の物流を管理する第三者が、概物流サーバに記録された商品物流の記録を確認できる物流管理システム。
【請求項２】
携帯端末と携帯型スキャナとをケーブル通信または無線通信で連係動作させる。物流拠点などにある商品に印刷または貼付されている、光学的に読み込めるようＪＡＮ、ＣＯＤＥ、ＱＲなどにコード化された商品の名称、または商品の識別番号、もしくはその両方の商品情報を概携帯端末に概スキャナで読み込ませる。概携帯端末に、携帯端末の通信機能を使い、商品情報を蓄積した商品サーバと通信を行い、概商品サーバの情報と概携帯端末に概スキャナで読み込ませた商品情報とで概商品の商品情報を特定し、特定された商品情報のみを概商品サーバから読み込ませることができるとともに、概商品情報に情報を追加または変更でき、さらに概携帯端末で追加または変更した情報のみを物流サーバへ返信、記録させるプログラムを用意することによって、物流作業者以外の物流を管理する第三者が、概物流サーバに記録された商品物流の記録を確認できる物流管理システム。
【請求項３】
携帯端末に、携帯端末の通信機能を使って、商品サーバから商品の名称、または商品の識別番号、もしくはその両方の商品情報を一時に読み込ませる。概携帯端末に搭載されている撮影機能で、物流拠点などにある商品に印刷または貼付されている、光学的に読み込めるようＪＡＮ、ＣＯＤＥ、ＱＲなどにコード化された商品の名称、または商品の識別番号、もしくはその両方の商品情報を読み込ませる。概携帯端末に、概携帯端末に読み込ませた概商品サーバの情報と概携帯端末で読み込んだコードの情報とで概商品の商品情報が特定できるとともに、概商品情報に情報を追加または変更でき、さらに概携帯端末で追加または変更した情報のみを物流サーバへ返信、記録させるプログラムを用意することによって、物流作業者以外の物流を管理する第三者が、概物流サーバに記録された商品物流の記録を確認できる物流管理システム。
【発明の詳細な説明】
【技術分野】
【０００１】この発明は、携帯端末と携帯型スキャナおよび複数のサーバを利用した物流管理システムに関する。
【背景技術】
【０００２】従来より、商品の出荷および移動を管理するために出荷指示伝票が発行され、商品物流作業者は概伝票に記載の商品を指示通りに出荷する方法がとられている。【０００３】この方法は、まず、商品物流作業者が発行された出荷指示伝票に記載の商品を倉庫内で確認し、概商品を出荷できるような荷姿にし、トラックなどに積み込み作業を完了させていた。
【先行技術文献】
【特許文献】
【０００４】なお、この出願の発明に関する先行技術文献情報としては、例えば、特許文献１が知られている。
【特許文献１】特開２００２−１３５４５１号公報
【発明の概要】
【発明が解決しようとする課題】
【０００５】しかしながら、以上の技術によれば、発行された伝票と伝票に記載された商品の同一性、数量の保証は商品物流作業者の注意力のみに担保されるものであり、誤出荷が絶えなかった。【０００６】そこで、この発明は、携帯端末と携帯型スキャナおよび複数のサーバを利用し、商品の出荷および移動を物流サーバに記録し、商品物流作業者以外の物流を管理する第三者が、概物流サーバに記録された商品物流の記録を確認できる物流管理システムを構築する。
【課題を解決するための手段】
【０００７】以上の課題を解決するために、発明は、携帯端末に、携帯端末の通信機能を使って、商品サーバから商品の名称、または商品の識別番号、もしくはその両方の商品情報を一時に読み込ませる。概携帯端末と携帯型スキャナとをケーブル通信または無線通信で連係動作させる。物流拠点などにある商品に印刷または貼付されている、光学的に読み込めるようＪＡＮ、ＣＯＤＥ、ＱＲなどにコード化された商品の名称、または商品の識別番号、もしくはその両方の商品情報を概携帯端末に概スキャナで読み込ませる。概携帯端末に、概携帯端末に読み込ませた概商品サーバの情報と概スキャナで読み込んだコードの情報とで概商品の商品情報が特定できるとともに、概商品情報に情報を追加または変更でき、さらに概携帯端末で追加または変更した情報のみを物流サーバへ返信、記録させることができるプログラムを用意することによって、商品物流作業者以外の物流を管理する第三者が、容易に物流情報を確認できる物流管理システムを構築する。
【発明の効果】
【０００８】請求項１に記載の発明によれば、携帯端末に商品情報を記録させた商品サーバから、商品の名称などの情報を一時に読み込ませ、概携帯端末で付加または変更した情報のみを物流サーバへ返信、記録させる物流管理システムとすることで、概携帯端末と概サーバ間の通信の情報量および通信回数の低減を図り、応答速度が速く、物流情報確認の際の利便性と実用性が向上する。【０００９】また、携帯端末と携帯型スキャナとを連係動作させ、商品の収納場所に貼付されるか、または商品そのものに印刷または貼付されている、光学的に読み込めるようコード化された商品の名称などのコードを読み込ませることにより、携帯端末に搭載されている脆弱な光学コード読み取り解析機能を使用する場合より、読み取り速度と安定性が格段に向上し、物流情報確認の際の利便性と実用性が向上する。【００１０】さらに、概携帯端末に読み込ませた概商品サーバの情報と概スキャナで読み込んだコードの情報とで概商品の商品情報が特定できるとともに、概商品情報に情報を追加または変更でき、さらに概携帯端末で追加または変更した情報のみを物流サーバへ返信、記録させることができるプログラムを用意するので、サーバ側で演算する負荷が軽減され、稼働速度が向上し、物流情報確認の際の利便性と実用性が向上する。【００１１】請求項２に記載の発明によれば、携帯端末と携帯型スキャナとを連係動作させ、商品の収納場所に貼付されるか、または商品そのものに印刷または貼付されている、光学的に読み込めるようコード化された商品の名称などのコードを概携帯型スキャナで読み込ませることにより、携帯端末に搭載されている脆弱な光学コード読み取り解析機能を使用する場合より、読み取り速度と安定性が格段に向上し、物流情報確認の際の利便性と実用性が向上する。【００１２】さらに、概携帯端末に読み込ませた概商品サーバの情報と概スキャナで読み込んだコードの情報とで概商品の商品情報が特定できるとともに、概商品情報に情報を追加または変更でき、さらに概携帯端末で追加または変更した情報のみを物流サーバへ返信、記録させることができるプログラムを用意するので、サーバ側で演算する負荷が軽減され、稼働速度が向上し、物流情報確認の際の利便性と実用性が向上する。【００１３】請求項３に記載の発明によれば、携帯端末に商品情報を記録させた商品サーバから、商品の名称などの情報を一時に読み込ませ、概携帯端末で付加または変更した情報のみを物流サーバへ返信、記録させる物流管理システムとすることで、概携帯端末と概サーバ間の通信の情報量および通信回数の低減を図り、応答速度が速く、物流情報確認の際の利便性と実用性が向上する。【００１４】さらに、商品サーバの情報と、携帯端末に搭載されている撮影機能で読み込んだコードの情報とで概商品の商品情報が特定できるとともに、概商品情報に情報を追加または変更でき、さらに概携帯端末で追加または変更した情報のみを物流サーバへ返信、記録させることができるプログラムを用意するので、サーバ側で演算する負荷が軽減され、稼働速度が向上し、物流情報確認の際の利便性と実用性が向上する。
【図面の簡単な説明】
【００１５】
【図１】実施例の携帯端末と携帯型スキャナの連携方法を示す図
【図２】実施例の携帯端末とサーバとの接続概念図
【図３】実施例の在庫情報を携帯端末に一時に取り込む概念図
【図４】実施例の商品または在庫棚に貼付されたコードを読み込む
【図５】実施例の携帯端末で在庫数量などを入力
【図６】実施例の付加または変更された情報のみをサーバへ返信する
【図７】実施例の通信回線網に接続されたコンピュータと物流サーバにより管理する第三者が物流情報を確認する
【発明を実施するための形態】
【実施例】
【００１６】以下、本発明を具体化した実施形態を図面に基づいて説明する。【００１７】図１に示すように、携帯端末とケーブル通信または無線通信で連携動作できる携帯型スキャナとを連係動作させる。【００１８】図２に示すように、概携帯端末は携帯端末が有する通信機能により、通信基地局などを介して通信回線網に接続され、さらに商品情報を記録させたサーバに接続され、通信する。【００１９】図３に示すように、概商品サーバに接続された概携帯端末は、商品の名称、または商品の識別番号、もしくはその両方の情報を一時に読み込む。【００２０】図４に示すように、商品の在庫場所に貼付されるか、または商品そのものに印刷または貼付されている、光学的に読み込めるようＪＡＮ、ＣＯＤＥ、ＱＲなどにコード化された商品の名称、または商品の識別番号、もしくはその両方の情報を携帯型スキャナで読み込ませ、概商品サーバの情報と読み込んだコードの情報とを比較演算できるプログラムを概携帯端末に用意し、合致する商品の情報を特定する。【００２１】図５に示すように、概携帯端末で、概特定された情報に商品物流作業者が、付加または変更を加える。【００２２】図６に示すように、付加または変更した情報のみを物流サーバへ返信、記録させる。【００２３】図７に示すように、通信回線網に接続されたコンピュータと物流サーバにより管理する第三者が物流情報を確認する。【００２４】「実施形態の効果」
この実施形態によれば、携帯端末よりも高機能な撮影機能と、光学的コード解析機能を有する携帯型スキャナを使用することにより、携帯端末の脆弱な撮影機能と光学的コード解析機能を使用することによるタイムロスを低減し、また、商品情報を記録させたサーバとの通信回数を低減させることによる応答速度の向上をもたらし、さらに携帯端末にプログラムを用意することにより概サーバの負担軽減による稼働速度の向上をもたらし、物流情報確認の際の利便性と実用性が向上する。【００２５】「他の実施形態」
携帯型スキャナを使用せず、携帯端末の撮影機能と、光学的コード解析機能を使用しても、在庫情報を記録させたサーバと携帯端末の通信回数を低減させることにより応答速度の向上をもたらし、さらに携帯端末にプログラムを用意することにより概サーバの負担軽減による稼働速度の向上をもたらし、物流情報確認の際の利便性と実用性が向上する。
【符号の説明】１０    携帯端末
１１    携帯型スキャナ
１２    無線通信
１３    通信ケーブル
１４    サーバ
１５    通信基地局
１６    通信回線網
１７    商品データなどの情報
１８    コードが貼付された商品収納場所
１９    コードが貼付された商品
２０    光学的読み込み
２１    情報を付加または変更
２２    付加または変更された情報のみを返信
２３    物流サーバ
２４    管理する第三者が物流サーバと通信
２５    管理する第三者のコンピュータ
【図１】
2014172756.tif 000003
【図２】
2014172756.tif 000004
【図３】
2014172756.tif 000005
【図４】
2014172756.tif 000006
【図５】
2014172756.tif 000007
【図６】
2014172756.tif 000008
【図７】
2014172756.tif 000009